(57)【要約】      （修正有）【課題】透明又は半透明のプラスチックシートで形成される包装陳列用ケースについて、スティック状物品を体裁よく安定して収納できるようにし、同時に陳列効果も高める。【解決手段】透明又は半透明のプラスチックシートを折り曲げて構成される包装陳列用ケース１に、筒状胴部２と、上蓋３及び底蓋４と、筒状胴部の内部を平面視で２分する位置に配置される物品保持部５を備えさせる。物品保持部５は、前記プラスチックシートの筒状胴部２を形成する部分に連ならせた保持部用第１シート１２と保持部用第２シート１３を互いに折り重ねて重ね面の下端近傍を接着して形成し、その物品保持部の保持部用第１シートと保持部用第２シート間にスティック状物品３０を挟み込んで収納するようにした。【選択図】図１
2012201370.tif 000002
【特許請求の範囲】
【請求項１】
透明又は半透明のプラスチックシート（６）を折り曲げて形成される包装陳列用ケースであって、筒状胴部（２）と、その筒状胴部（２）の上部開口、下部開口を個別に閉鎖する上蓋（３）及び底蓋（４）と、前記筒状胴部（２）の内部を平面視で２分する位置に配置される物品保持部（５）を有し、
前記物品保持部（５）は、前記プラスチックシート（６）の筒状胴部（２）を形成する部分の胴部周方向端部に連ならせた保持部用第１シート（１２）と保持部用第２シート（１３）を互いに折り重ね、重ね面の下端近傍を接着して形成されており、その物品保持部の前記保持部用第１シート（１２）と保持部用第２シート（１３）間にスティック状物品（３０）を挟み込んで収納するようにした包装陳列用ケース。
【請求項２】
前記筒状胴部（２）を偶数角の多角形の筒にし、その筒状胴部（２）の対角部間に前記物品保持部（５）を配置した請求項１に記載の包装陳列用ケース。
【請求項３】
前記物品保持部（５）を前記筒状胴部（２）とほぼ同等の高さ寸法を持つものにした請求項１又は２に記載の包装陳列用ケース。
【請求項４】
前記保持部用第１シート（１２）と保持部用第２シート（１３）のいずれか一方に、前記スティック状物品（３０）の下部を入り込ませて係止させる切抜き部（１９）を設けた請求項１〜３のいずれかに記載の包装陳列用ケース。
【請求項５】
前記筒状胴部（２）の前記物品保持部（５）によって２分された内室の一方に、内面が鏡面（Ｍｆ）に加工された鏡面シート（２６）を筒状胴部（２）の内面に沿わせて挿入した請求項１〜４のいずれかに記載の包装陳列用ケース。
【請求項６】
前記プラスチックシート（６）の胴部周方向他端側に、前記筒状胴部（２）の側方と上方にせり出す土台シート（２２）を連設し、前記筒状胴部（２）の上方において、前記土台シート（２２）にフック掛け孔（２４）を設けた請求項１〜５のいずれかに記載の包装陳列用ケース。
【請求項７】
前記筒状胴部（２）の下端に、筒状胴部（２）を支える複数の脚（１７）を閉鎖位置にある前記底蓋（４）よりも下側に突出させて設けた請求項１〜６のいずれかに記載の包装陳列用ケース。
【発明の詳細な説明】
【技術分野】
【０００１】
この発明は、店頭において陳列販売がなされるスティック状の物品、例えば、ペンシル型化粧品などを収納するのに好適な包装陳列用ケースに関する。
【背景技術】
【０００２】
上記ペンシル型化粧品として、例えば、アイライナー、リップライナー、コンシーラ、口紅といったものが市場に供されている。この種化粧品は、容器のデザインや色彩を重視したものが多く、そのため、内部が透けて見える包装用ケースやブリスターパックに商品を入れて店頭に陳列することがなされている。
【０００３】
プラスチックシートで形成された透明包装用ケース（クリアケース）は、台紙とプラスチックトレーを組み合わせたブリスターパックよりも高級感がある。従って、高級な化粧品などの包装には、透明或いは半透明のプラスチックシートを曲げ加工して作られた包装用ケースが利用されることが多い。
【０００４】
その種の包装用ケースは、例えば、下記特許文献１に記載されている。同文献が開示している筒状物品収納ケースは、環状片の外周に接線方向に延びる舌片を設けた保持部材を併用している。その保持部材を、環状片の内側に嵌合させた物品（収納対象商品）と一緒にケースに収納し、前記舌片をケース内壁に当接させる。
【０００５】
こうすることで、ケース内での保持部材の回転を阻止し、それにより、保持部材に保持された物品のケース内での回転を防止して物品が正確に正面を向いた姿勢で陳列されるようにしている。
【先行技術文献】
【特許文献】
【０００６】
【特許文献１】特開２００７−１５３３７０号公報
【発明の概要】
【発明が解決しようとする課題】
【０００７】
本出願人が特許文献１で提案している筒状物品収納ケースは、ケースから独立した保持部材を用いるため、物品をケースに収めるまでのケースの在庫管理が面倒になる。
【０００８】
また、円筒状をなす物品の外周を保持部材の環状片の内側に嵌合させてケース内での物品の回転を阻止するので、環状片の長さと物品の周長の関係を厳密に設定する必要があり、収納する物品の種類やサイズの変化に対する対応の自由度が低い。
【０００９】
さらに、保持部材による物品の保持が物品の底部近傍でのみなされて物品の上側部分の保持が不十分になるため、ケース内壁との間に大きな隙間ができるペンシル型化粧品などのスティック状物品を収納すると、ケース内で物品が傾き易く、体裁の良い収納が望み難い。
【００１０】
この発明は、上記に鑑みてなされたものであって、透明又は半透明のプラスチックシートで形成される包装陳列用ケースについて、スティック状物品を体裁よく安定して収納できるようにし、同時に陳列効果も高められるようにすることを課題としている。
【課題を解決するための手段】
【００１１】
上記の課題を解決するため、この発明においては、透明又は半透明のプラスチックシートを折り曲げて形成される包装陳列用ケースを以下の通りに構成した。すなわち、
筒状胴部と、その筒状胴部の上部開口、下部開口を個別に閉鎖する上蓋及び底蓋と、前記筒状胴部の内部を平面視で２分する位置に配置される物品保持部を有し、
前記物品保持部は、前記プラスチックシートの筒状胴部を形成する部分の胴部周方向端部に連ならせた保持部用第１シートと保持部用第２シートを互いに折り重ね、重ね面の下端近傍を接着して形成されており、その物品保持部の前記保持部用第１シートと保持部用第２シート間にスティック状物品を挟み込んで収納するようにした。
【００１２】
この包装陳列用ケースの好ましい形態を以下に列挙する。
（１）前記筒状胴部を偶数角の多角形の筒にし、その筒状胴部の対角部間に前記物品保持部を配置したもの。
（２）前記筒状胴部とほぼ同等の高さ寸法を持つ物品保持部を設けたもの。
（３）前記保持部用第１シートと保持部用第２シートのいずれか一方に、スティック状物品の下部を入り込ませて係止させる切抜き部を設けたもの。
（４）前記筒状胴部の前記物品保持部によって２分された内室の一方に、内面が鏡面に加工された鏡面シートを筒状胴部の内面に沿わせて挿入したもの。
（５）前記プラスチックシートの胴部周方向他端側に、前記筒状胴部の側方と上方にせり出す土台シートを連設し、前記筒状胴部の上方において、前記土台シートにフック掛け孔を設けたもの。
（６）前記筒状胴部の下端に、筒状胴部を支える複数の脚を閉鎖位置にある前記底蓋よりも下側に突出させて設けたもの。
【発明の効果】
【００１３】
この発明の包装陳列用ケースは、筒状胴部の内部に設けた物品保持部で収納対象のスティック状物品を挟みつけて保持するので、収納したスティック状物品が搬送中の振動などで回転することがない。
【００１４】
また、物品保持部の高さを筒状胴部の高さを越えない範囲で十分に高くすることができるため、ケース内壁との間に大きな隙間ができるスティック状物品を収納するときにもケース内での物品の傾きが起こらない。従って、収納した物品が正面を向き、起立姿勢も保持されて体裁のよい陳列がなされる。これに加え、収納した物品が宙に浮いているように見えるため、アピール効果が高まる。
【００１５】
内面が鏡面に加工された鏡面シートを筒状胴部の物品保持部によって２分された内室の一方の内部に挿入したものは、ケースを正面から見たときに、収納した物品の背面側が鏡面シートの鏡面に映って物品が宙に浮いている感じが強調される。中でも、筒状胴部を六角形や八角形の筒にしたものは、複数の鏡面に物品が映るため、万華鏡のような様相を呈し、より良いアピール効果が期待できる。
【００１６】
また、物品保持部は、互いに折り重ねた物品保持部用の第１、第２シートで物品を挟みつけて保持する構造になっているため、物品の種類やサイズ（特に周長）の変化に対する対応の自由度も高く、同一ケースを異種物品や異サイズ物品の収納に利用することも可能になる。
【００１７】
このほか、筒状胴部と物品保持部が一体になっているため、物品をケースに収めるまでのケースの在庫管理も楽になる。また、筒状胴部の内室を２分する位置にある物品保持部によってケースが補強されるため、材料のプラスチックシートを薄くすることができ、コスト面でも有利になる。
【図面の簡単な説明】
【００１８】
【図１】この発明の包装陳列用ケースの第１の形態を示す部分破断斜視図
【図２】図１のケースの長手方向断面図
【図３】（Ａ）：図２のＡ−Ａ線に沿った断面図、（Ｂ）：図２のＢ−Ｂ線に沿った断面図
【図４】図１のケースのプラスチックシート（ブランクシート）の展開図
【図５−Ｉ】図１のケースの組み立て手順の説明図（その１）
【図５−ＩＩ】図１のケースの組み立て手順の説明図（その２）
【図５−ＩＩＩ】図１のケースの組み立て手順の説明図（その３）
【図６】この発明の包装陳列用ケースの第２の形態を示す斜視図
【図７】図６のケースの長手直角方向断面図
【図８】図６のケースの使用状態を示す斜視図
【図９】図６のケースのプラスチックシート（ブランクシート）の展開図
【図１０−Ｉ】図６のケースの組み立て手順の説明図（その１）
【図１０−ＩＩ】図６のケースの組み立て手順の説明図（その２）
【図１０−ＩＩＩ】図６のケースの組み立て手順の説明図（その３）
【図１１】この発明の包装陳列用ケースの第３の形態を示す部分破断斜視図
【図１２】図１１のケースの長手方向断面図
【図１３】（Ｃ）：図１２のＣ−Ｃ線に沿った断面図、（Ｄ）：図１２のＤ−Ｄ線に沿った断面図
【図１４】図１１のケースのプラスチックシート（ブランクシート）の展開図
【図１５−Ｉ】図１１のケースの組み立て手順の説明図（その１）
【図１５−ＩＩ】図１１のケースの組み立て手順の説明図（その２）
【図１５−ＩＩＩ】図１１のケースの組み立て手順の説明図（その３）
【発明を実施するための形態】
【００１９】
以下、添付図面の図１〜図１５−IIIに基づいて、この発明の包装陳列用ケースの実施の形態を説明する。
【００２０】
図１に示した第１の形態の包装陳列用ケース１は、透明又は半透明のプラスチックシート（ブランクシート）を折り曲げて形成されたものであって、筒状胴部２と、その筒状胴部の上部開口、下部開口を個別に閉鎖する上蓋３及び底蓋４と、筒状胴部２の内部を平面視で２分する位置に配置される物品保持部５を有している。
【００２１】
この第１の形態の包装陳列用ケース１は、筒状胴部２を断面方形の筒にしている。また、物品保持部５は、２つに折り重ねたシートで形成している。その物品保持部５は、ケースを形成するプラスチックシートの一部で形成されており、物品保持部５は、筒状胴部２に一体に連なっている。
【００２２】
この第１の形態の包装陳列用ケース用のプラスチックシート（ブランクシート）６を図４に示す。このプラスチックシート６は、一方の側面パネル７、前面パネル８、他方の側面パネル９、背面パネル１０、糊代１１、保持部用第１シート１２、保持部用第２シート１３を、それぞれのパネル、シート間に配置する折り目線Ｌ１〜Ｌ６を介して順に横に連ならせている。保持部用第１シート１２と保持部用第２シート１３の高さは、前面、側面、背面の各パネルの高さとほぼ同等である（厳密には僅かに小さい）。
【００２３】
そしてさらに、前面パネル８の上縁と下縁に、蓋パネル１４と差し込み片１５を、それぞれ折り目線Ｌ７，Ｌ８を介して順に連ならせ、なおかつ、側面パネル７，９の上縁と下縁に折り目線Ｌ９介してフラップ１６を連設してなる。
【００２４】
１７は、前面パネル８と背面パネル１０の下縁に設ける脚である。この脚１７は、物品３０を収納した包装陳列用ケース（商品）の起立安定性を高めるのに役立つが、表品は横倒しにして陳列することもできるので、脚１７は必須ではない。なお、前面パネル１０の下縁の脚１７は、底蓋４となす前面パネル下縁側の蓋パネルの一部を切り起して形成される。
【００２５】
１８は、差し込み片１５の係止効果を高める切り込みである。この切り込み１８は、必要に応じて差し込み片１５の基端の両側に設けられる。
【００２６】
１９は、必要に応じて保持部用第２シート１３（又は保持部用第１シート１２）の下端近くに設ける切抜き部である。この切抜き部１９はケースに収納される物品の下部の位置決めに利用される。
【００２７】
２０は、保持部用第２シート１３の保持部用第１シート１２に対する接着領域、一点鎖線で隔した帯状の領域２１は、側面パネル７に対する糊代１１の接着領域である。
【００２８】
このプラスチックシート１０を、図５−Ｉ〜図５−IIIの手順に基づいてケースに組立てる。先ず、図５−Ｉ（ａ）に示すように、プラスチックシート６を折り目線Ｌ６の位置で谷折りして保持部用第２シート１３を保持部用第１シート１２上に重ね、接着領域２０において保持部用第２シート１３と保持部用第１シート１２を接着して物品保持部５を形成する。
【００２９】
次に、図５−Ｉ（ｂ）に示すように、プラスチックシート６を折り目線Ｌ５の位置で谷折りして物品保持部５を糊代１１のある側に重ね、さらに、図５−II（ｃ）に示すように、プラスチックシート６を折り目線Ｌ３の位置で谷折りして物品保持部５のある側を前面パネル８と側面パネル９上に重ねる。そして、さらに、図５−II（ｄ）に示すように、プラスチックシート６を折り目線Ｌ１の位置で谷折りして側面パネル７を糊代１１上に重ね、糊代１１の接着領域２１を側面パネル７の内面に接着する。以上で、潰した姿の包装陳列用ケース１ができる。
【００３０】
その後、図５−III（ｅ）に示すように、側面パネル７，９を立ち上がらせて筒状胴部２を筒にし、さらに、フラップ１６を内側に折り曲げ、図４の下側の蓋パネル１４（底蓋４）を閉じる。このとき、物品保持部５は、筒状胴部２の対角部間に位置して筒状胴部２の内室をほぼ２分し、さらに、補強効果を生じてケースを強化する。
【００３１】
ケースの組立作業を行うのは、包装陳列用ケース１に物品３０を収納するときでよい。底蓋４を閉じたら、筒状胴部２の上部開口からケースの内部にスティック状物品３０を入れる。そのスティック状物品３０は、自由状態、すなわち、図３（Ｂ）に鎖線で示す状態のときには、互いに接近している物品保持部５の保持部用第１シート１２と保持部用第２シート１３を弾性変形させて離反させ（押し広げ）、両シート間に挿入する。
【００３２】
物品保持部５の片方のシートに切抜き部１９が設けられていると、挿入された物品３０の下側部分が、図２及び図３（Ａ）に示すように、切抜き部１９に嵌り込んで切抜き部１９による物品３０の挿入規制と位置決めがなされる。
【００３３】
保持部用第１シート１２と保持部用第２シート１３は、自己の弾性復元力で挿入された物品３０を挟みつける。その挟みつけが広範な領域でなされ、そのために、ケース内での物品３０の回転が確実に阻止され、搬送中の振動などで正面を前にした物品３０の姿勢が崩れることがなくなる。
【００３４】
また、保持部用第１シート１２と保持部用第２シート１３間に挿入された物品３０は、両シートによる締め付け力によって物品保持部５の中央に自然に押し寄せられる。物品保持部５は、筒状胴部２の内室を２分する位置にあるので、上記の押し寄せ作用で物品３０が筒状胴部２の中心付近に安定して位置決めされる。また、筒状胴部２の中心付近に位置決めされた物品３０は、物品保持部が透明又は半透明であるので、あたかも宙に浮いたように見え、高級感をかもし出す陳列、興味をそそる陳列がなされる。
【００３５】
なお、物品保持部５によって２分された筒状胴部２の内室の一方には、内面が鏡面に加工された鏡面シートを筒状胴部の内面に沿うように挿入することができる。その鏡面シートを設けると、物品保持部５に保持された物品が鏡面シートの鏡面に映り、物品が宙に浮いている感じが強調される。
【００３６】
図６〜図８に、第２の形態の包装陳列用ケースを示す。この第２の形態の包装陳列用ケース１Ａは、第１の形態の包装陳列用ケースに土台シート２２を追加したものと考えてよい。土台シート２２は、筒状胴部２の側方と上方にせり出す平板のシートであって、筒状胴部２と一体に形成されている。
【００３７】
この第２の形態の包装陳列用ケース用のプラスチックシート６を図９に示す。この図９のプラスチックシート６は、背面パネルを兼用した土台シート２２の一側縁に側面パネル７、前面パネル８、側面パネル９、糊代１１、保持部用第１シート１２、保持部用第２シート１３を、それぞれ折り目線Ｌ１〜Ｌ６を介して順に連ならせている。
【００３８】
また、上蓋および下蓋となす蓋パネル１４を側面パネル９の上縁と下縁に連ならせて設け、蓋パネル１４の内側に折り込むフラップ１６を側面パネル７と前面パネル８の上縁と下縁にそれぞれ連ならせて設け、蓋パネル１４に連ならせた差し込み片１５が差し込まれる切れ目２３を、側面パネル７とそれに連なるフラップ１６の境界部に形成している。２４は、土台シート２２に設けたフック掛け孔であり、ケースが組立てられたときに筒状胴部２の直上にくる位置に設けられている。
【００３９】
その他の構成は図４の第１の形態用のプラスチックシートと同じであるので同一要素については、同一符合を付して説明を省く。
【００４０】
この図９のプラスチックシート６も、図１０−Ｉ（ａ）に示すように、プラスチックシート６を折り目線Ｌ６の位置で谷折りして保持部用第２シート１３を保持部用第１シート１２上に重ね、接着領域２０を接着して物品保持部５を形成する。
【００４１】
また、図１０−II（ｂ）、（ｃ）に示すように、プラスチックシート６を折り目線Ｌ５の位置と、折り目線Ｌ３の位置で順に谷折りし、物品保持部５のある側を前面パネル８と側面パネル７上に重ねる。そして、図１０−III（ｄ）に示すように、プラスチックシート６を折り目線Ｌ１の位置で谷折りして土台シート２２を糊代１１上に重ね、接着領域２１を土台シート２２の一部で構成される背面パネル１０に接着する。以上で、潰した姿の包装陳列用ケース１ができる。
【００４２】
この図６の包装陳列用ケース１も、図１０−III（ｅ）に示すように、側面パネル７，９を立ち上がらせて筒状胴部２を筒にし、フラップ１６を内側に折り曲げ、底蓋用の蓋パネル１４を閉じる。そして、図７に示すように、物品保持部５の第１シート１２と第２シート１３間に物品３０を挿入し、上蓋３を閉じる。
【００４３】
この第２の形態の包装陳列用ケース１は、土台シート２２の筒状胴部２の側方への張り出し部に商品説明用の表示ラベルなどを貼ることができる。また、フック掛け孔２４を有するので、図８のようにフック３１による吊り下げ陳列が行える。
【００４４】
図１１〜図１３は、第３の形態の包装陳列用ケースである。この第３の形態の包装陳列用ケース１は、第１の形態の包装陳列用ケースの筒状胴部２を長手直角断面が六角形をなすものに置き換えたものである。
【００４５】
この第３の形態の包装陳列用ケース用のプラスチックシート６を図１４に示す。この図１４のプラスチックシート６は、第１〜第６の側面パネル７−１〜７−６を、折り目線Ｌ−１〜Ｌ−５を介して順に連ならせ、さらに、側面パネル７−６に、折り目線Ｌ−６を介して糊代１１を、糊代１１に、折り目線Ｌ−７、折り目線Ｌ−８を介して保持部用第１シート１２と保持部用第２シート１３を順に連ならせている。
【００４６】
また、側面パネル７−３の上縁と下縁に、折り目線Ｌ−９，Ｌ−１０を介して六角形の蓋パネル１４と差し込み片１５をそれぞれ連設し、さらに、側面パネル７−１と７−５と７−６の上縁と下縁に、折り目線Ｌ−１１を介してフラップ１６をそれぞれ連設している。差し込み片１５は、蓋パネル１４の３辺に設けているが、折り目線Ｌ−１０を介して蓋パネル１４に連なったもののみにしてもよい。
【００４７】
２５は、保持部用第２シート１３に連ならせて設けた連結部である。この連結部２５は、糊付け部１１に接着される。その接着によって保持部用第２シート１３の上側の逃げ（保持部用第１シート１２からの離反）が起こり難くなり、その逃げによる物品保持部５の保持力低下が抑制される。
【００４８】
図１４のプラスチックシート６も、図１５−Ｉ（ａ）に示すように、プラスチックシート６を折り目線Ｌ−８の位置で谷折りして保持部用第２シート１３を保持部用第１シート１２上に重ね、両シートの接着領域２０を接着し、さらに、連結部２５の接着領域２０を糊代１１に接着して物品保持部５を形成する。
【００４９】
次いで、図１５−II（ｂ）、（ｃ）に示すように、プラスチックシート６を折り目線Ｌ−７と、折り目線Ｌ−４の位置で順に谷折りし、物品保持部５のある側を側面パネル７−１のある側に重ねる。そして、図１５−III（ｄ）に示すように、プラスチックシート６を折り目線Ｌ−１の位置で谷折りして土台シート２２を糊代１１上に重ね、接着領域２１を側面パネル７−１の内面に接着する。以上で、潰した姿の包装陳列用ケース１ができる。
【００５０】
図１１の包装陳列用ケース１も、図１５−III（ｅ）に示すように、五つの側面パネルを立ち上がらせて筒状胴部２を筒にし、フラップ１６を内側に折り曲げ、底蓋４用の蓋パネル１４を閉じる。そして、筒状胴部２の内部に形成された物品保持部５の第１シート１２と第２シート１３間にスティック状物品を挿入し、図１５−III（ｆ）に示すように、上蓋３を閉じる。
【００５１】
図１３の２６は、物品保持部５によって２分された筒状胴部の内室の一方に挿入された鏡面シートである。必要に応じて設けるその鏡面シート２６は、内面が鏡面Ｍｆに加工されている。
【００５２】
この鏡面シート２６を、筒状胴部２の内面に沿わせて片方の内室に挿入すると、ケースを正面から見たときに、物品保持部５に保持された物品３０の背面側が鏡面Ｍｆに映り、物品が宙に浮いている感じが強調される。また、筒状胴部を六つ以上の角を有する多角形の筒にしたものは、複数の鏡面に物品が映って万華鏡のような様相を呈し、興味を引く陳列が期待できる。
【００５３】
第３の実施形態のケースのその他の構成は、既述の第１、第２の実施形態と共通しているので、共通の要素については、同一符合を付して説明を省く。
【符号の説明】
【００５４】
１          包装陳列用ケース
２          筒状胴部
３          上蓋
４          底蓋
５          物品保持部
６          プラスチックシート
７，９      側面パネル
８          前面パネル
１０        背面パネル
１１        糊代
１２        保持部用第１シート
１３        保持部用第２シート
１４        蓋パネル
１９        切抜き部
２０，２１  接着領域
２２        土台シート
２４        フック掛け孔
２５        連結部
２６        鏡面シート
【図１】
2012201370.tif 000003
【図２】
2012201370.tif 000004
【図３】
2012201370.tif 000005
【図４】
2012201370.tif 000006
【図５−Ｉ】
2012201370.tif 000007
【図５−ＩＩ】
2012201370.tif 000008
【図５−ＩＩＩ】
2012201370.tif 000009
【図６】
2012201370.tif 000010
【図７】
2012201370.tif 000011
【図８】
2012201370.tif 000012
【図９】
2012201370.tif 000013
【図１０−Ｉ】
2012201370.tif 000014
【図１０−ＩＩ】
2012201370.tif 000015
【図１０−ＩＩＩ】
2012201370.tif 000016
【図１１】
2012201370.tif 000017
【図１２】
2012201370.tif 000018
【図１３】
2012201370.tif 000019
【図１４】
2012201370.tif 000020
【図１５−Ｉ】
2012201370.tif 000021
【図１５−ＩＩ】
2012201370.tif 000022
【図１５−ＩＩＩ】
2012201370.tif 000023